(57)【特許請求の範囲】
【請求項１】
水田の畦畔に設けられ、水田内の用水の貯水量を調節するのに使用される簡易排水器において、
水量調節用のスケールが取り付けられた水量調節用スピンドルと、
この水量調節用スピンドルの下端に設けられたテーパー付き仕切板と、
前記水量調節用スピンドルが挿通される挿通孔を有するとともにこの挿通孔と連通し該挿通孔から挿通された前記水量調節用スピンドルを囲繞する筒状体を下面側に備えたキャップと、
このキャップが上端開口部に螺着されるとともに前記筒状体が内部に挿入される本体と、
この本体の下端に周壁を介して設けられ、該周壁の前記本体に臨む部位において内方への前記テーパー付き仕切板の挿脱を許容するよう構成されるとともに、該周壁の内面に前記テーパー付き仕切板を案内する案内溝が設けられた排水管と、
前記水量調節用スピンドルと前記筒状体との間に介装された複数の水漏れ防止用のパッキンとを備えた簡易排水器。
【発明の詳細な説明】
【０００１】
【産業上の利用分野】
本発明は、水田用水に使用する簡易排水器に関する。
【０００２】
【従来の技術】
従来慣行では、水田用水の水位を調節する際には、排水枡の流水口へ仕切板を取付け、その周囲に盛土して堰を設け貯水し、逆に、排水時には仕切板と盛土を外し、排水路へ放水する方法で水位を調節しているが、排水枡周辺から地盤浸透による水漏れが生じたり、排水管に盛土が流入して目詰まりを起こす恐れがあった。
【０００３】
そこで、用水の水量調節用スピンドルの先端に仕切板を設けた排水調節器が各種市販されており、従来慣行による排水枡周辺からの水漏れや排水管内への土砂の目詰まり欠陥が概ね解消されている。
【０００４】
【発明が解決しようとする課題】
しかしながら、上記の先願技術の排水調節器においては、排水管内の水圧が高くなると、仕切板に圧力が加わりスライドしにくいことや、スピンドルとキヤップ本体間から水漏れを生じ易いなどの欠陥が認められた。
【０００５】
また、昇降スライド幅の目安がないので、精密な水量調節ができなかった。
【０００６】
【課題を解決するための手段】
本発明は、上記の欠陥を解消するために開発されたもので有り、水田の畦畔に設けられ、水田内の用水の貯水量を調節するのに使用される簡易排水器において、水量調節用のスケールが取り付けられた水量調節用スピンドルと、この水量調節用スピンドルの下端に設けられたテーパー付き仕切板と、前記水量調節用スピンドルが挿通される挿通孔を有するとともにこの挿通孔と連通し該挿通孔から挿通された前記水量調節用スピンドルを囲繞する筒状体を下面側に備えたキャップと、このキャップが上端開口部に螺着されるとともに前記筒状体が内部に挿入される本体と、この本体の下端に周壁を介して設けられ、該周壁の前記本体に臨む部位において内方への前記テーパー付き仕切板の挿脱を許容するよう構成されるとともに、該周壁の内面に前記テーパー付き仕切板を案内する案内溝が設けられた排水管と、
前記水量調節用スピンドルと前記筒状体との間に介装された複数の水漏れ防止用のパッキンとを備えたことを特徴とするものである。
【０００７】
【作用】
図１および図２を参照しながら、作用について説明する。
【０００８】
まず、水田２に用水５を貯水したい場合には、本発明の簡易排水器６のスピンドル１２に接続するハンドル１３をスケール１７の目盛りに合わせ上げながら、テーパー付き仕切板１５の位置を定めて排水管１０内を流れる水量を調節する。
【０００９】
次に、水田２から用水５を排水する場合には、ハンドル１３をスケール１７の目盛りに合わせながら、スピンドル１２を指定位置まで下げて、放水量を調節し排水する。
【００１０】
この際、豪雨や雷雨などで急激に増水し、水圧が変動する場合には、本体９と螺合するキヤップ１１とスピンドル１２間から高圧水が吹出し水漏れが発生するので、スピンドル１２を筒状体１８で囲繞するとともにスピンドル１２と筒状体１８との間に複数の止水パッキン１４を挿入している。
【００１１】
また、このような水圧変動の際には、排水管１０内のテーパー付き仕切板１５に高圧が加わり、スムーズにスピンドル１２が昇降し難いので、テーパー付き案内溝１６を設けて自在に昇降摺動するようにした。
【００１２】
さらに、用水の流入と排水量が正確に把握できるように、スピンドル１２にスケール１７を取付て、目盛りに合わせて、水量調節ができるようにしている。
【００１３】
【実施例】
図１および図２の全体構成図を参照しながら、実施例を説明する。
【００１４】
図１および図２に示すように、水田２の畦畔４と排水溝３間に本発明の排水器６を配設する。
【００１５】
その際、昇降ハンドル１３とスビンドル１２の支持部を除き、本体部９と排水管１０を埋設し、排水溝３に接続する。
上記のように水田２の畦畔４と排水溝３間に配設された排水器６は、上端に昇降ハンドル１３を備え水量調節用のスケール１７が取り付けられた水量調節用スピンドル１２と、この水量調節用スピンドル１２の下端に設けられたテーパー付き仕切板１５と、水量調節用スピンドル１２が挿通される挿通孔１１ａを有するとともにこの挿通孔１１ａと連通し該挿通孔１１ａから挿通された水量調節用スピンドル１２を囲繞する筒状体１８を下面側に備えたキャップ１１と、このキャップ１１が上端開口部９ａに螺着されるとともに筒状体１８が内部に挿入される本体９と、この本体９の下端に周壁１０ａを介して設けられ、該周壁の本体９に臨む部位において内方へのテーパー付き仕切板１５の挿脱を許容するよう構成されるとともに、周壁１０ａの内面にテーパー付き仕切板１５を案内する案内溝１６が設けられた排水管１０と、水量調節用スピンドル１２と筒状体１８との間に介装された複数の水漏れ防止用のパッキン１４…とを備えたものである。なお、図中の符号７は、排水管１０の水田２側に接続された流入口を、符号８は排水管１０の排水溝３側に接続された放水口をそれぞれ示す。
【００１６】
本発明は、従来慣行の用水管理技術のように、水田の用水中に手を入れて、仕切板を交換する煩わしさがなくなり、貯水量を正確に調節可能であり、また、保守点検も容易にできる。
【００１７】
【発明の効果】
本発明の簡易排水器は、下記の利点を有するので利用価値は高い。
【００１８】
１．豪雨や雷雨などで生ずる水圧変動による水漏れや、スピンドルの摺動不良が解消される。
【００１９】
２．スケールの目盛りに合わせて、用水の流入排水量を正確に調節できる。
【００２０】
３．排水器を水田外の畦畔側に設置するので、農作業機械などによる破損が少ない。
【００２１】
４．畦畔の掘削が浅いので、地面沈下による水漏れや土手崩れがなく、排水器の転倒が少ない。
【００２２】
５．仕切板を盛土で固定する従来慣行の場合と異なり、耕土の流出がなく、排水管内への堆積による目詰まりが解消される。
【００２３】
６．塵や土砂が入っても、上部のキヤップ部が開放されるので、清掃が簡単にできる。
【００２４】
７．本発明の排水器は、塩化ビニール製プラスチックの材料で製造されているので、重量が軽く、かつ、構造も簡単なので設置工事が容易である。
【図面の簡単な説明】
【図１】  本発明に係る簡易排水器の水田における配置状態を示す一部切欠側面図である。
【図２】  （ａ）は図１に示す簡易排水器の正面図、（ｂ）は（ａ）におけるＡ−Ａ線に沿う断面図である。
【符号の説明】
１      稲
２      水田
３      排水溝
４      畦畔
５      用水
６      排水器
７      流入口
８      放水口
９      本体
１０ 排水管
１０ａ  排水管の周壁
１１ キヤップ
１１ａ  挿通孔
１２ スピンドル
１３ 昇降ハンドル
１４ パッキン
１５ テーパー付き仕切板
１６ テーパー付き案内溝
１７ スケール（目盛り）
１８    筒状体
【図１】
0003666611.tif 000002
【図２】
0003666611.tif 000003